(57)【要約】  後側および内側寄りに中心がずれた円錐状の延出部を備えた略球形の眼のインプラントである。延出部は、眼窩に対応した自然な形状に形成されている。インプラントは、患者の眼の筋肉および組織をインプラントに縫合するための複数の穴を備えている。インプラントの複数の空間は、インプラントを筋肉および外側の組織に固定して、縫合糸が溶解した後の移動を防止する組織の形成を段階的に誘導する。インプラントの前側部には、義眼に適合して安定性および運動性を改善させる部分が設けられている。
2008514315.tif 000002
【特許請求の範囲】
【請求項１】
患者の眼窩に挿入される眼のインプラント装置であって、前記眼窩は、患者の眼窩に挿入されたインプラントの位置を基準にして内側と、横側と、後側と、前側と、上側と、下側とを有し、前記インプラント装置は、
前側部および後側部を有するインプラントで、前記インプラントが内側と横側と上側と下側とを有し、前記側のすべてが患者の眼窩の各側に対応し、
インプラントの前側部は、縫合糸が通されるとともに体液および組織が入り込む複数の穴と、体液および組織が入り込む複数の排出穴とを有し、
インプラントは、後側部の内側に向けて長いインプラントの延出部にて形成された略球形である
特徴を備えた眼のインプラント装置。
【請求項２】
延出部は、前側部に対して中心がずれていることを特徴とする請求項１記載の眼のインプラント。
【請求項３】
内側および横側がより前側で、上側および下側がより後側に形成され、インプラントの前側部寄りの非点収差形状をさらに備えることを特徴とする請求項１記載の眼のインプラント。
【請求項４】
インプラントの内側および横側に向けて大きく、インプラントの上側および下側に向けて短い半径に形成され、インプラントの前側部寄りの非点収差形状をさらに備えることを特徴とする請求項１記載の眼のインプラント。
【請求項５】
インプラント装置がポリマ製であることを特徴とする請求項３記載の眼のインプラント装置。
【請求項６】
ポリマがアクリルであることを特徴とする請求項５記載の眼のインプラント装置。
【請求項７】
前側部が、２つの部品を適正な位置に配置したときに、後側部と結合するように形成されていることを特徴とする請求項６記載の眼のインプラント装置。
【請求項８】
前側部および後側部を超音波溶着にて結合することを特徴とする請求項７記載の眼のインプラント装置。
【請求項９】
インプラント装置がエラストマポリマ製であることを特徴とする請求項３記載の眼のインプラント装置。
【請求項１０】
エラストマポリマがシリコンであることを特徴とする請求項９記載の眼のインプラント装置。
【請求項１１】
前側部が前側部を後側部に結合するのに役立つ少なくとも２つの腕部をさらに備え、前記腕部が拡大部を有し、
後側部が腕部および腕部の拡大部を挿入させる開口を有することを特徴とする請求項１０記載の眼のインプラント装置。
【請求項１２】
前側部が義眼に適合するように形成された盛上り部および窪み部をさらに備えることを特徴とする請求項１記載の眼のインプラント装置。
【請求項１３】
縫合糸が通されるとともに、体液および組織が入り込む少なくとも４つの穴を有することを特徴とする請求項１記載の眼のインプラント装置。
【請求項１４】
少なくとも１４個の排出穴を有することを特徴とする請求項１記載の眼のインプラント装置。
【請求項１５】
排出穴が１６個以下であることを特徴とする請求項１記載の眼のインプラント装置。
【請求項１６】
インプラントの内側に可視できる印をさらに備えることを特徴とする請求項１記載の眼のインプラント装置。
【請求項１７】
前側部と後側部とを１つの部品として形成することを特徴とする請求項１記載の眼のインプラント装置。
【請求項１８】
前側部と後側部とを別々の２つの部品として形成することを特徴とする請求項１記載の眼のインプラント装置。
【請求項１９】
後側部が体液および組織が入り込む複数の排出穴をさらに備えることを特徴とする請求項１記載の眼のインプラント装置。
【発明の詳細な説明】
【技術分野】
【０００１】
本発明は、眼の置換インプラントに関する。
【背景技術】
【０００２】
一般に、眼が傷害や病気で傷ついた場合は、この傷ついた眼の内容物を全部除去する眼球内容除去手術や、眼球を眼の筋肉や視神経から切り離した後に眼球全体を除去する眼球摘出手術をする。そして、これら手術の後に形成される眼の空間に眼のインプラントを挿入してから、眼に似た義眼を装着する。さらに、眼球を摘出したり内容物を除去した後には、インプラントを眼窩に埋め込んでから、このインプラントを覆うように組織が治癒していく。この後、このインプラントを覆って治癒した組織の上に、義眼を設置する。そして、この眼のインプラントを眼窩内に適正に設置した場合には、眼を除去したときに失われた容積のある程度が眼のインプラントに置き換えられ、眼瞼および眉の正常な構造が維持される。また、反対側の眼に適切に調和させてインプラントと連動するように義眼を連結した場合には、実質的に正常な外見を取り戻すことができる。
【０００３】
長年、眼を失った人の機能的および整形的な改善をするために、眼の置換装置が用いられている。成人に用いられた初期型の置換装置である眼のインプラントは、ガラス製または不活性の固体物質製の球体であり、この眼のインプラントを、眼窩、すなわち眼球孔に埋め込んでから人の眼の湾曲および外観に適合させた義眼で覆っている。この置換装置は、眼のインプラントの側部の表面全体が滑らかであるため、外眼筋が付着できない問題がある。このため、義眼が健常な眼に連動せず、装着者を見る人に違和感を与えるとともに、装着者が気まずい思いをする原因となっていた。
【０００４】
次いで、多くのインプラントの別の問題は、移動である。この移動は、患者の眼窩内での正常な位置からのインプラントのずれである。さらに、この移動は、最も外側の組織を引っ張って薄化を起こし、インプラントの表面が外側から見えたり露出することがある。すなわち、滑らかな表面を有する多くのインプラントは、患者の眼窩の組織や筋がインプラントに付着せず、このインプラントを正常な位置に保持できないため、移動してしまう。さらに、このインプラントは、組織や筋の下に埋め込んでも移動してしまい、このインプラントを覆う組織の薄化や、このインプラントの突出が起こってしまう。従来は、このインプラントを覆う組織に圧力が掛かって壊死したときに、この壊死した組織に細菌が進入して感染症を引き起こしてしまう場合もあった。この感染症は、インプラントを患者に挿入してから何年もの月日が経つと起こる。
【０００５】
現在の多くのインプラント装置は、ニューアレンの万能型やイオワなどのように、複雑な非球形に形成されている。この非球形の万能型のインプラントが記載された米国特許第４７３１０７７号を図１３に示す。非球形の万能型のインプラントは、既成の義眼がインプラントの非球形の形に適合しない問題がある。多くの国々では特殊な調節をした非既成の義眼を容易に入手できるが、その他の多くの国々では特殊な調節をした義眼を入手する手段がないから、万能型である非球形のインプラントは、多くの地域で適確に機能していない。
【０００６】
インプラントの移動の問題を無くすために様々な試みがされている。この試みの共通点は、インプラントを多孔質にすることである。そして、この種の多孔質のインプラントは、数百または数千の穴を備えている。多孔質のインプラントの表面の穴には、組織を入り込ませることができるので、この穴は、インプラントを正常な位置に保持するのに役立つ。しかしながら、このインプラントは、表面が粗いことにより、このインプラントが露出してしまうほど外側の組織が切れたり磨耗することがあるので、感染症を引き起こす原因となってしまう。
【０００７】
多孔質のインプラントの粗い表面が患者の眼窩の組織に対してサンドペーパーのように作用してしまうため、このインプラントを患者の眼窩に挿入することは容易でない。多くの多孔質のインプラントは、義眼床に深く挿入して設置する前に、この多孔質のインプラントが眼窩の組織にはり付かないように患者の眼窩に挿入するために、滑らかなプラスチック製の被膜で覆われている。そして、この多孔質のインプラントは、正しい位置に設置してから、このインプラントの表面からプラスチック製のシートが剥がされる。また、この多孔質のインプラントが義眼床内の奥まで挿入して設置できない場合は、最も外側の組織の適正な閉塞を無理にしなければならないから、この多孔質のインプラントが早期に露出してしまう原因となる。さらに、粗い表面のインプラントが義眼床の深い位置に設置されない場合は、このインプラントに眼窩の組織がはり付いてしまうため、このインプラントを眼窩のさらに奥に再び設置し直すことが容易ではない。また、多孔質のインプラントの側面にある数千の穴の内部に組織が入り込んでいるため、このインプラントを外科処置で取り出すことが極めて難しい。よって、このインプラントを取り出すためには、多くの組織を切断する必要があり、時間が掛かるとともに有害となり得る。また、この多孔質のインプラントの取り出しによって、多くの患者の眼窩が破壊されている。
【０００８】
多孔質のインプラントのさらに別の問題は、このインプラントの内部に起こる感染症を治療することが難しいことである。多くの場合は、この多孔質のインプラントの数千の穴のいずれにも組織が入り込まない。そして、この組織が入り込んでいない穴のいずれかに感染が生じると、この感染した位置に薬物を送り込む健全な組織が穴にない。そして、この感染した位置に薬が届かなければ、感染症を治癒できないから、インプラントを取り除かなければならない。
【０００９】
米国特許第４９７６７３１号（ペリー）には、ハイドロシキアパタイトなどの多孔質の材質で製造された眼のインプラントが記載されている。そして、この多孔質のインプラントは、移植後に、鞏膜嚢や他の膜がインプラントに吸収されるため、患者の組織がインプラントの多孔質の構造内に入り込む。また、この米国特許第４９７６７３１号には、十分に治癒した後に、義眼から突出するくぎ材をインプラントに挿入することによって、このインプラントに穴をあけて、このインプラントに義眼を付ける通路を形成する構成が記載されている。さらに、この米国特許第４９７６７３１号には、インプラントの穴を開けた通路内に組織が入り込んで内層となるため、この内層がインプラントの移動または突出の問題を解決することが記載されている。しかしながら、この米国特許第４９７６７３１号では、２度目の外科処置が必要であり、くぎ材によるインプラント周囲の組織の感染症が考えられるから、外科処置をする上でのリスクを伴う。
【発明の開示】
【発明が解決しようとする課題】
【００１０】
このため、外科処置で患者に挿入しやすく、かつ患者から取り出しやすく、患者の組織で全体が覆われ、くぎ材を用いる必要がなく、運動性が良好で、移動しない眼のインプラントが必要である。
【課題を解決するための手段】
【００１１】
本発明は、略球形の形状をした略滑らかな表面の眼のインプラントである。このインプラントは、細長い後側部と、前側部に細部を付けた非点収差形状とを有するため真の球形ではない略球形である。このインプラントの後側部には、このインプラントの内側寄りに円錐状に細長く中心がずれて延出部が形成されている。この円錐状の延出部は、人の眼の骨縁が脳寄りの奥側、および鼻腔寄りの内側に延出した自然な形状であるため、このインプラント全体を正常な位置に保持させる。
【００１２】
さらに、このインプラントの前側部は、内側および横側が上側および下側よりも大きな非点収差形状に形成されている。そして、このインプラントは、非点収差形状であることから、義眼の眼窩内で余計な回転がしにくい。また、このインプラントは、内側および横側が大きく、非点収差形状であることから、このインプラントを球形のインプラントよりも義眼により適合できるので、義眼を安定できる。
【００１３】
そして、このインプラントは、滑らかであるが、このインプラントの前側部は、穴および排出穴に連通した複数の穴を有している。この穴は、インプラントを覆う筋肉および組織に、好ましくは縫合にて結合するための空間である。この穴が作る空間のすべては、縫合糸を通させることに加え、体液の進入に適している。また、この穴は、インプラントを筋肉および最も外側の組織に固定するための新たな組織の形成を段階的に誘導して移動を防止する。さらに、排出穴もまた、インプラント内の空間であり、組織の進入および形成を誘導して、インプラントを眼窩内に固定する。
【００１４】
また、このインプラントの前側部は、複数の盛上り部および窪み部を有している。この盛上り部は、略球形のインプラントの表面から突出しており、義眼に適合するように形成され、義眼の運動性を改善させる。また、窪み部は、眼の筋肉および組織を載せる部分でって、筋肉が動いているときにインプラントをより保持させて、運動性を改善させる。
【発明を実施するための最良の形態】
【００１５】
図１に示すように、本発明の眼のインプラント10は、前側部22と後側部24とを備えている。インプラント10は、１つの部品として製造できるが、好ましい実施例としてはインプラント10を２つの別々の部品として製造する。ここで、これら２つの部品22，24をまとめてインプラント10とする。前側部22は、複数の穴18と、排出穴20a，20bと、窪み部11と、盛上り部12を備えている。本明細書において、窪み部11と盛上り部12とをまとめて細部とする。前側Ａ、後側Ｐ、内側Ｍ、横側Ｔ、上側Ｓ、下側Ｉは、前側部22を患者の眼窩から外に向けて患者の右眼窩に適切に配置したときのインプラント10の部分を示す。これら各側は、図２および図３に示されている。図２は、患者の右眼窩に配置した状態のインプラント10の上面図であり、前側(前)Ａ、後側(後)Ｐ、内側(鼻に近い側)Ｍ、および横側(こめかみに近い側)Ｔをそれぞれ示している。さらに、図３は、上側(上)Ｓおよび下側(下)Ｉを示す側面図である。
【００１６】
図２に示すように、本発明のインプラント10は、球体の後側Ｐが略円錐状に延出した略球形である。この円錐状の後側Ｐの延出部は、インプラント10の内側Ｍ寄りに中心がずれている。図４は、インプラント10を患者の眼窩に配置した状態を示している。円錐状の延出部は、インプラント10を眼窩に配置したときに、後側Ｐおよび内側Ｍに延出している。すなわち、円錐状の延出部は、患者の眼窩の裏側および患者の鼻腔側に向けて長くなっている。この後側Ｐおよび内側Ｍの延出部は、インプラント10の眼窩内の容積が最大になるようにインプラント10を患者の眼窩に配置される。このようにインプラント10の眼窩内の容積が最大になるのは、図４に示すように、眼窩の自然な形状が後側Ｐおよび内側Ｍに向けて延出しているためである。偏心した円錐状の延出部は、インプラント10で眼窩内の容積を埋めることに加え、円錐状の延出部が最適な位置である眼窩の後側Ｐおよび内側Ｍの部分に自然に留まるため、前側部22の細部を眼球の虹彩の正常な方向に配置させる。このため、前側部22は、上側および外側、上側または外側に傾斜する可能性を大幅に減少させる。
【００１７】
インプラント10の前側部22は、非点収差形状である。この前側部22が非点収差形状であることは、図１５に最も良く示されているが、この図１５には、インプラント10が内側Ｍおよび横側Ｔに向けてやや大きく、上側Ｓおよび下側Ｉに向けて小さい、すなわち略球形のインプラント10の半径が前側部22の内側Ｍおよび横側Ｔに向けて長く、前側部22の上側Ｓおよび下側Ｉに向けて短いことを示している。また、この図１５は、インプラント10の非点収差形状を示す比較図であって、実線がインプラント10の上側Ｓを図の右に向けた状態のインプラントを示し、鎖線がインプラント10の横側Ｔを図の右に向けた状態のインプラント10を示す。この図１５の前側では、インプラント10の内側Ｍおよび横側Ｔの鎖線が、上側Ｓおよび下側Ｉの実線よりも外側に出ている。この非点収差形状は、この形が義眼に適合する形状であって、義眼に運動を生じさせる。インプラント10の非点収差形状にて生じる適合は、患者にとって厄介で人目を引いてしまう義眼の無意識な回転を防止させる。
【００１８】
患者の眼窩内にインプラント10の円錐状の延出部および非点収差形状を正しい向きに入れることは、施術者にとって重要である。図３に示すように、本発明の最適な実施例では、施術者を助けるためにインプラント10の内側Ｍに「Ｍ」の文字が設けられており、インプラント10の側面を患者の眼窩の内側Ｍに向けることを施術者に知らせる。
【００１９】
インプラント10の前側部22にある細部、すなわち窪み部11および盛上り部12は、義眼の良好な運動性を生じさせるように、義眼に適合した形状に形成されている。これら窪み部11および盛上り部12を義眼に適合した形状に形成した効果は、窪み部11および盛上り部12が義眼に徐々に触れることによって、義眼に動きを生じさせる。前側部22にある細部は、インプラントが略球形の形状でなくなるほど目立たない。図１３に示す従来技術のインプラント装置などの非球形のインプラントは、特殊な調整がされていない既成の義眼に適切に合わないから、インプラント10を略球形にすることが重要である。
【００２０】
異なる材料の２つの具体的な実施例を参照しながら以下にインプラント10を説明する。このインプラント10は、生体適合性のあるインプラント材料であればどのような材料であってもよい。このインプラント10の外面は、滑らかであることが好ましい。このインプラント10の滑らかな外面は、患者の組織に被着することがなく、外科処置でインプラント10を挿入したり取り出したりするのに優れている。このインプラント10の滑らかな表面は、老化または適合しない義眼による最も外側の組織への刺激を最小限にするとともに、その後の露出や飛び出しの可能性を最小限にする。
【００２１】
インプラント10は、患者の眼窩に移植する前に２つの別々の部分として製造してから組み立てられる。このインプラント10は、使用に際して、このインプラント10を患者の眼窩に挿入して設置した後に、施術者がインプラント10に筋肉や最も外側の組織を被せて縫合することによって、このインプラント10が感染症の原因となりうる外気に触れないようにする。このインプラント10の前側部22には、複数の窪み部11および盛上り部12が設けられている。この窪み部11は、眼の筋肉や組織が設置される領域となり、眼の筋肉による静的な摩擦によって、インプラント10を義眼に適合させたときのインプラント10および義眼の運動性を改善させる。
【００２２】
インプラント10の前側部22は、複数の穴18および排出穴20a，20bを有している。穴18は、針および縫合糸の挿入が可能である。穴18は、好ましくは１ｍｍ以上２ｍｍ以下の直径であって、最も一般的な縫合針を容易に通すことができる大きさである。そして、この比較的大きな穴18の直径によって、仮に外科処置が必要となっても、インプラントを自由な状態にするために、入り込んだ組織の接合部や縫い目を容易に切開できる。縫合糸14は、インプラント10を覆う患者の眼の筋肉を、インプラント10に確実に固定させるために中央の穴18に通されている。
【００２３】
穴18によって作られる空間は、縫合糸14が通されることに加え、体液の進入に適している。この穴18は、インプラント10を筋肉や他の組織に固定するための新しい組織の形成を段階的に誘導する。インプラント10の前側部22は、穴18に似ているが一般に縫合糸14が通されない排出穴20a，20bを備え、これら排出穴も体液の進入に適しているので、インプラント10を筋肉や他の最も外側の組織に固定するための新しい組織の形成を段階的に誘導する。縫合糸14は、インプラント10を眼窩に挿入してからしばらくの間、インプラント10が移動したり脱落したりするのを防止する。縫合糸14は、移植後８週間目以上１２週間目以下の間に弱くなって溶解するが、この縫合糸14が溶解する間に患者の新しい組織が空間に進入して、筋肉およびインプラント10に付着して移動を防止する。
【００２４】
穴18および排出穴20a，20b内に入り込んだ新しい組織は、移動の防止に加え、筋肉および最も外側の組織に付着するため、患者のインプラント10の良好な運動を可能にさせる。前側部22にある窪み部11、盛上り部12、および他の細部は、義眼に適合させるのに役立ち、患者の義眼の動きを可能な限り自然に見えるようにする。
【００２５】
別の実施例を図１６および図１７に示す。この実施例では、前側部22にある排出穴20a，20bに加え、排出穴20cをインプラント10の後側部24に配置する。これら後側部24の追加の排気筒20cは、より多くの組織をインプラント10の内部に入り込ませるので、インプラント10をより確実に患者に固定させる。
【００２６】
好ましい実施例に関して、以下に特定の数を記載するが、本発明の範囲は、インプラント10の前側部22にある特定数の穴18および排出穴20a，20bに限定されない。当業者は、穴18および排出穴20a，20bの数を、多様な医療的要望を有する様々な患者に対応するように変更できる。
【実施例１】
【００２７】
図１および図５ないし図８は、本発明の好ましい実施例１を示しており、以下に述べる特定の特徴に加え、上述した一般的な特徴のすべてを備えている。好ましい実施例１のインプラント10は、アクリルなどのポリマにて構成されている。上述のように、このインプラント10は、２つの部品22，24で製造するのが好ましい。この後、これら２つの部品22，24を任意の適切な手段で結合する。アクリル製のインプラント10の２つの部品22，24を組み立てる好ましい手段は、この技術分野で知られている超音波溶着である。図１および図７に示すように、後側部24の表面には、突起部30が設けられている。この突起部30は、前側部22の下側に設けられている適合した形状の図示しない凹部に挿入可能に設けられている。突起部30は、半楕円形が好ましいが、２つの部品22，24が正しい位置に向いたときにだけ互いに嵌合できればどのような形状であってもよい。突起部30は、部品22，24が正しく配列されたとき以外に完全に一致しないように構成され、内側の「Ｍ」の印が正しい向きになり、かつ患者の眼窩に挿入して配置したときにのみインプラント10の円錐状の延出部および非点収差形状が確実に収容されるように構成されている。
【００２８】
上述のように、インプラント10は、眼窩に挿入してから、このインプラント10を覆う患者の眼筋に縫合する。図８に示すように、縫合糸14は、インプラントの穴18に通される。図６に示すように、好ましい実施例１は、４つの穴18と、１６個の排出穴20a，20bとが前側部22に設けられている。排出穴20aの８つの第１のセットは、前側部22の前側に開口した入口を有し、排出穴20bの８つの第２のセットは、前側部22の周囲に向けて開口した入口を有するので、排出穴20bの第２のセットの方向は、排出穴20aの第１のセットの方向に直交している。好ましい実施例１では、排出穴20aの第１のセットのすべてが排出穴20bの第２のセットのすべてに互いに接続され、インプラントの内部に排出穴20a，20bの網状組織が形成される。
【００２９】
穴18は、インプラントの内部に体液を進入させるための空間を形成するので、インプラント10を筋肉および最も外側の組織に固定するための新しい組織の形成を段階的に誘導する。実施例１の中空な排出穴20a，20bもまた、体液が進入するように形成されているので、インプラント10を患者の筋肉および組織に固定するための新しい組織の形成を段階的に誘導する。この結果、インプラント10が筋肉に確実に縫合され、すべての筋肉および最も外側の組織が治癒してインプラント10に付着した後には、移動や脱落が起こりにくくなる。安定性がさらに必要な場合は、図１６および図１７に示すように、インプラント10の後側部24に排出穴20cを形成してもよい。排出穴20cは、前側部22の排出穴20a，20bと内部で接続できる。
【実施例２】
【００３０】
図９ないし図１２および図１２ａは、本発明の好ましい実施例２を示し、この実施例２は、以下の特徴に加え、上述した本発明の一般的な特徴のすべてを備えている。この実施例２のインプラント10は、弾性を有する生体適合物質またはシリコンなどのエラストマポリマにて構成されている。この実施例２において、前側部22および後側部24は、シリコンを溶着できないため、係合するように形成されている。この実施例２の２つの部品を結合するための好ましい手段を図１２および図１２ａに示す。これら図１２および図１２ａにおいて、前側部22に取り付けられる腕部26を、後側部24の対応する開口25に挿入する。腕部26は、開口25に挿入した後に開口25から容易に外せないようにする拡大部27を有する。拡大部27は、開口25に挿入した状態で、２つの部品22，24を互いに固定または係合させる。腕部26は、好ましくは２つ設けられ、前側部22がインプラント10の非点収差形状と円錐状の延出部とを正確に配列させる２つの位置以外は、後側部24に結合できないようにするために、組み立て中の２つの部品を配置できないように構成されている。この碗部26は、この腕部26が後側部24の外面を超えて延出する部分を切断して、インプラント10の後面を腕部26と同一平面にされる。
【００３１】
図１０に示すように、好ましい実施例２は、４つの穴18と１４個の排出穴20a，20bを備えている。好ましい実施例１と同様に、排出穴20a，20bの一方は、他方の排出穴20a，20bに対して直角に延出しているが、排出穴20a，20bの一部を互いに接続させなくてもよい。この好ましい実施例２は、前側部22から延出する腕部26が、実施例１で追加した排出穴20a，20bを設けた領域を占めるため、実施例１より少ない排出穴20a，20bを備えている。ただし、腕部26に関係なくインプラント10に追加の支持が必要な場合は、この実施例２に追加した排出穴20a，20bを設けることも可能である。
【００３２】
また、さらに安定性が必要な場合は、図１６および図１７に示すように、インプラント10の後側部24に排出穴20cを形成してもよい。排出穴20cは、前側部22の排出穴20a，20bと内部で接続できる。
【実施例３】
【００３３】
図１４は、本発明によるインプラント10の好ましい実施例３を示し、この実施例３では最初の２つの実施例よりも窪み部11と盛上り部12とがより大きく形成されている。この実施例３は、実施例１または実施例２の特徴を備えて製造でき、前側部22の窪み部11および盛上り部12の凹凸を大きくしたことが唯一の違いである。しかしながら、好ましい実施例３のインプラント10は、略球形で、より大きな窪み部11および盛上り部12が、運動性を高めるためにインプラント10の義眼に対する適合を増加させ、義眼が回転する可能性を少なくすることに役立っている。好ましい実施例３は、窪み部11および盛上り部12がより大きいため、前側部22は非点収差形状を有していない。この実施例３は、窪み部11および盛上り部12がより大きいため、既成の義眼に対して正確に連動しない可能性が高い。
【００３４】
以上、本発明を好ましい実施例に関連して説明したが、本発明の要旨および範囲を逸脱することなく本明細書で説明した好ましい実施例に様々な修正ができることは当業者にといて明らかである。ただし、当業者に明らかな修正および変更は、すべて特許請求の範囲に含まれることを意図している。
【図面の簡単な説明】
【００３５】
【図１】本発明の実施例１の装置の前側部および後側部を別々に示す斜視図である。
【図２】患者の右眼窩に入れた位置を基準にしたインプラントの後側および内側の装置の円錐状の延出部を示す上面図である。
【図３】患者の右眼窩に入れた位置を基準にしたインプラントの装置の内側を表す「Ｍ」を示す側面図である。
【図４】インプラントを右眼窩に正しい向きに入れた人の頭の脳、眼窩および鼻の関係を示す上面図である。
【図５】好ましい実施例１のインプラントの斜視図である。
【図６】好ましい実施例１の患者の右眼窩に入れた位置を基準にしたインプラントの前側部の側面図である。
【図７】好ましい実施例１のインプラント後側部の側部に嵌合させる一段高い表面を示す斜視図である。
【図８】好ましい実施例１のインプラントの前側部内の穴および排出穴を示す斜視断面図である。
【図９】好ましい実施例２のインプラントの斜視図である。
【図１０】好ましい実施例２の患者の右眼窩に入れた位置を基準にしたインプラントの前側部の側面図である。
【図１１】好ましい実施例２の患者の右眼窩に入れた位置を基準にしたインプラントの２つの部品を結合させる腕部を示す底面図である。
【図１２】好ましい実施例２の患者の右眼窩に入れた位置を基準にしたインプラントの内部の腕部を示す断面図であって、ａは、好ましい実施例２のインプラントの後側部の腕部を挿入するための開口を示す斜視図である。
【図１３】従来技術のインプラント装置を示す斜視図である。
【図１４】本発明の実施例３のインプラントの盛り上がった盛上り部と窪んだ窪み部を示すの斜視図である。
【図１５】インプラントの非点収差形状を示す比較図であり、実線はインプラントの上側を図の右に向けて横倒しにしたインプラントを示し、鎖線はインプラントの横側を図の右に向けたインプラントを示す。
【図１６】後側部の排出穴を示すために後側部を切断したインプラントの斜視図である。
【図１７】インプラントの後側部の排出穴を示す側面図である。
【図１】
2008514315.tif 000003
【図２】
2008514315.tif 000004
【図３】
2008514315.tif 000005
【図４】
2008514315.tif 000006
【図５】
2008514315.tif 000007
【図６】
2008514315.tif 000008
【図７】
2008514315.tif 000009
【図８】
2008514315.tif 000010
【図９】
2008514315.tif 000011
【図１０】
2008514315.tif 000012
【図１１】
2008514315.tif 000013
【図１２】
2008514315.tif 000014
【図１２ａ】
2008514315.tif 000015
【図１３】
2008514315.tif 000016
【図１４】
2008514315.tif 000017
【図１５】
2008514315.tif 000018
【図１６】
2008514315.tif 000019
【図１７】
2008514315.tif 000020
【国際調査報告】
2008514315.tif 000021
2008514315.tif 000022